(57)【要約】【課題】  道路工事や建設作業中の安全を確保し、作業騒音を低減させ、前期移動作業時にも対応できるよう、簡易に移動できる仮設防護設備を提供する。【解決手段】  上部が接合し、下方が左右に開脚し、水平な補強部材で左右の脚部を接合した一対の支脚と、複数の直線状部材からなり、支脚と支脚の間を上方及び下方に、支脚の上部付近上とその直下の水平な補強部材上に設置された固定部材を介して、各々の直線状部材の端部付近を水平に差し渡し固定してなる仮設防護設備において、  上下の直線状部材が、直線状部材の長手方向とは直交する水平方向に、所定の間隔を置いて平行に、上方も下方も２本ずつ配置したことを特徴とする仮設防護設備。【選択図】図２
0003126743.tif 000002
【実用新案登録請求の範囲】
【請求項１】
上部が接合し、下方が左右に開脚し、水平な補強部材で左右の脚部を接合した一対の支脚と、複数の直線状部材からなり、支脚と支脚の間を上方及び下方に、支脚の上部付近上とその直下の水平な補強部材上に設置された固定部材を介して、各々の直線状部材の端部付近を水平に差し渡し固定してなる仮設防護設備において、
上下の直線状部材が、直線状部材の長手方向とは直交する水平方向に、所定の間隔を置いて平行に、上方も下方も２本ずつ配置したことを特徴とする仮設防護設備。
【請求項２】
前記水平方向に所定の間隔を置いて平行に、上方も下方も２本ずつ配置した直線状部材は、それぞれの支脚上部上に所定の間隔を置いて設置された２個ずつの固定部材どうし、及びそれぞれの支脚の水平な補強部材上に所定の間隔を置いて設置された２個ずつの固定部材どうしを介して、平行に差し渡し固定したことを特徴とする請求項１に記載の仮設防護設備。
【請求項３】
前記水平方向に所定の間隔を置いて平行に、上方も下方も２本ずつ配置した直線状部材は、平行してなる一方の直線状部材が、支脚の上部付近上とその直下の水平な補強部材上に設置された固定部材を介して、一本ずつ支脚と支脚の間を差し渡し固定され、別個の直線状部材は、前記支脚に固定された直線状部材の、支脚より内側の両端部付近に固定された支持部材を介して、水平方向に所定の間隔を置いて平行に取付けたことを特徴とする請求項１に記載の仮設防護設備。
【請求項４】
前記支脚の左右の脚部の下端、若しくは左右の脚部の下端に前記水平な補強部材とは別個に接合した水平部材に、回転移動部材を取付けたことを特徴とする請求項１から３のいずれかに記載の仮設防護設備。
【請求項５】
前記水平方向に所定の間隔を置いて平行に、上方も下方も２本ずつ設置された直線状部材により生じる、上方及び下方の所定の間隔の空隙に、遮蔽部材を差込み自立させたことを特徴とする請求項１から４のいずれかに記載の仮設防護設備。
【請求項６】
前記遮蔽部材が、防音部材であることを特徴とする請求項５に記載の仮設防護設備。
【考案の詳細な説明】
【技術分野】
【０００１】  本考案は、道路工事や建設工事等において、通行車両や歩行者、作業者及び周辺への安全確保のため設置される仮設防護設備に関する。
【背景技術】
【０００２】  道路工事や建設工事等では、通行車両や歩行者や作業者の安全確保を考慮して、作業現場へ車両や歩行者の進入を規制するため、各種の仮設バリケード等各種の仮設防護設備が用いられている。図６に示すような、下方が左右に開脚し、水平な補強部材５で左右の脚部を接合した一対の支脚４の、上部付近上どうしと補強部材上どうしを、直線状部材３ａ及び３ｂを上下に、固定部材６ａ〜６ａ及び６ｂ〜６ｂを介して水平に差し渡し固定した仮設バリケード４０（以下、単管バリケードという）も、一般的に用いられている。また、作業による飛散物が作業箇所外へ飛び出ることを防いだり、騒音を多少緩和させるため、遮蔽板やネットを支柱に固定し、前記支柱をコンクリートブロック等によるスタンドに差し込んで垂立させた仮設遮蔽板等も一般的に用いられている。
【考案の開示】
【考案が解決しようとする課題】
【０００３】  しかしながら、前者の単管バリケードでは遮蔽性、防音性は全く望めず、作業中に周辺環境に騒音等悪影響を及ばす懸念がある。後者の仮設遮蔽板も防音性では不十分である。また、ブレーカーを用いた舗装版の撤去作業や、プレートコンパクタを用いた人力舗設作業のように、実際の作業スペースは小さいが、作業箇所が移動していく場合では、工事現場全体を広く囲うか、作業とともに仮設防護設備も移動させていく必要がある。前者の場合ではコストの問題とともに交通障害を引き起こす懸念があり、後者の場合は、特に前記仮設遮蔽板では移動させるのに、少なからず困難である。【０００４】  本考案が解決しようとする課題は、道路工事や建設作業中の安全を確保し、作業騒音を低減させ、前期移動作業時にも対応できるよう、簡易に移動できる仮設防護設備を提供することにある。
【課題を解決するための手段】
【０００５】  上記課題を解決するため、本考案は以下のように構成されている。
請求項１において、上部が接合し、下方が左右に開脚し、水平な補強部材で左右の脚部を接合した一対の支脚と、複数の直線状部材からなり、支脚と支脚の間を上方及び下方に、支脚の上部付近上とその直下の水平な補強部材上に設置された固定部材を介して、各々の直線状部材の端部付近を水平に差し渡し固定してなる仮設防護設備において、上下の直線状部材が、直線状部材の長手方向とは直交する水平方向に、所定の間隔を置いて平行に、上方も下方も２本ずつ配置したことを特徴とする仮設防護設備である。【０００６】  また、請求項２において、前記水平方向に所定の間隔を置いて平行に、上方も下方も２本ずつ配置した直線状部材は、それぞれの支脚上部上に所定の間隔を置いて設置された２個ずつの固定部材どうし、及びそれぞれの支脚の水平な補強部材上に所定の間隔を置いて設置された２個ずつの固定部材どうしを介して、平行に差し渡し固定したことを特徴とする仮設防護設備である。【０００７】  また、請求項３において、前記水平方向に所定の間隔を置いて平行に、上方も下方も２本ずつ配置した直線状部材は、平行してなる一方の直線状部材が、支脚の上部付近上とその直下の水平な補強部材上に設置された固定部材を介して、一本ずつ支脚と支脚の間を差し渡し固定され、別個の直線状部材は、前記支脚に固定された直線状部材の、支脚より内側の両端部付近に固定された支持部材を介して、水平方向に所定の間隔を置いて平行に取付けたことを特徴とする仮設防護設備である。【０００８】  以上の事項により、これら自体でも仮設防護設備として交通規制に十分機能を果たす上、上方も下方も２本ずつ配置された直線状部材により生じる、上方及び下方の所定の間隔の空隙に、遮蔽部材を差込み自立させることが可能な保持部材となる。特に、請求項３の場合は、既存の単管バリケードに支持部材と別個の直線状部材を取付けるという、簡易な方法で実施できる。【０００９】  さらに請求項４において、前記支脚の左右の脚部の下端、若しくは左右の脚部の下端に前記水平な補強部材とは別個に接合した水平部材に、回転移動部材を取付けたことを特徴とする仮設防護設備である。これにより、作業箇所の移動に合わせ、簡易に移動が可能となる。【００１０】  また、請求項５において、前記水平方向に所定の間隔を置いて平行に、上方も下方も２本ずつ配置された直線状部材により生じる、上方及び下方の所定の間隔の空隙に、遮蔽部材を差込み自立させたことを特徴とする仮設防護設備であり、請求項６において、前記遮蔽部材が、防音部材であることを特徴とする仮設防護設備である。これにより、従来よりも遮蔽性、防音性とも著しく向上する。
【考案の効果】
【００１１】  本考案の仮設防護設備とすることで、道路工事や建設作業中の交通規制はもとより、材料の外部への飛散を抑制し、作業騒音の低減も図れることによって、通行車両や歩行者や作業者の安全を確保し、周辺環境への悪影響も低減できる。また、作業の移動に対応して簡易に移動できることより、規制区域も低減することができる。
【考案を実施するための最良の形態】
【００１２】  以下に、本考案を実施するための最良の形態について、図面を用いて説明する。なお、本考案は以下の形態に限定されるものではない。【００１３】  図１に示す本考案に係る仮設防護設備１は、上部が接合し、下方が左右に開脚し、水平な補強部材５で左右の脚部を接合した一対の支脚４と、複数の直線状部材３ａ、３ｂ、３ｃ、３ｄからなり、支脚４と支脚４の間を上方及び下方に、支脚４の上部付近とその直下の水平な補強部材５上に設置された固定部材を介して、各々の直線状部材の端部付近を水平に差し渡し固定し、上下の直線状部材３ａ、３ｂ、３ｃ、３ｄが、直線状部材の長手方向とは直交する水平方向に、所定の間隔を置いて平行に、上方は３ａと３ｃの２本、下方は３ｂと３ｄの２本配置してある。この上方の直線状部材３ａ、３ｃは、それぞれの支脚４上部上に所定の間隔を置いて設置された２個ずつの固定部材である６ａ〜６ａ及び６ｃ〜６ｃ、下方の直線状部材３ｂ、３ｄは、それぞれの支脚４の水平な補強部材５上に所定の間隔を置いて設置された２個ずつの固定部材である６ｂ〜６ｂ及び６ｄ〜６ｄを介して、平行に差し渡し固定されている。この固定部材６ａと６ｃ、及び６ｂと６ｄの間隔は、直線状部材３ａと３ｃ、及び３ｂと３ｄの間隔と合致する。【００１４】  支脚４は、図１のように均等に開脚したものでも良いし、片側に開脚したような形状でも良い。材質は鉄製が好ましいが、所要の耐荷力、耐久性を有したものであればどのような素材でも良い。直線状部材３ａ、３ｂ、３ｃ、３ｄは、両端が固定された状態で自重で曲がらないような所定の剛性を備えたものであれば良い。鉄製のパイプが好ましい。断面形状は円形でも四角形でも良い。固定部材６ａ、６ｂ、６ｃ、６ｄは、直線状部材を固定できるものであれば、どのような形態のものでも良い。図６に示した既存の単管バリケード４０に用いられているような、両脇から直線状部材を挟み込み、合せ端部をボルトで締め付け固定するものが好ましい。【００１５】  仮設防護設備１は、そのままでも交通規制等に十分機能を果たす仮設防護設備とすることができる。また、直線状部材３ａと３ｃ、及び３ｂと３ｄで形成される隙間に、上方から遮蔽部材を差し込むことができ、これにより遮蔽機能も備えた仮設防護設備の、保持部材としての機能も果たすことができる。【００１６】  図２は、本考案に係る異なる形態の仮設防護設備２である。これは上部が接合し、下方が左右に開脚し、水平な補強部材５で左右の脚部を接合した一対の支脚４と、複数の直線状部材３ａ、３ｂ、３ｃ、３ｄからなり、支脚４と支脚４の間を上方及び下方に、支脚４の上部付近とその直下の水平な補強部材５上に設置された固定部材を介して、各々の直線状部材の端部付近を水平に差し渡し固定し、上下の直線状部材３ａ、３ｂ、３ｃ、３ｄが、直線状部材の長手方向とは直交する水平方向に、所定の間隔を置いて平行に、上方は３ａと３ｃの２本、下方は３ｂと３ｄの２本配置してある。上方の一方の直線状部材３ａが支脚４の上部付近に設置された固定部材６ａ〜６ａを、下方の一方の直線状部材３ｂは固定部材６ａ直下の水平な補強部材５上に設置された固定部材６ｂ〜６ｂを介して、一本ずつ支脚４と支脚４の間を差し渡��固定されている。上方の別個の直線状部材６ｃは、直線状部材６ａの支脚４より内側の両端部付近に固定された支持部材７ａ〜７ａを、下方の別個の直線状部材６ｄは、直線状部材６ｂの支脚４より内側の両端部付近に固定された支持部材７ｂ〜７ｂを介して、それぞれ水平方向に所定の間隔を置いて直線状部材６ａ及び６ｂに平行に取付けられている。【００１７】  前記支持部材７（７ａ、７ｂ）は図３に示すように、所定の間隔を保つための保持金具１１の両側に内側が半円形の固定支持金具１２ａ、１２ｂが固定され、それぞれの固定支持金具１２ａ、１２ｂの一端に設けられたピン１４ａ、１４ｂを介して設けられている、矢印で示すような円形に作動可能な可動支持金具１３ａ、１３ｂと、固定支持金具１２ａ、１２ｂによってそれぞれ形成される円形の空隙１９ａ、１９ｂに直線状部材３ａ、３ｂ、３ｃ、３ｄの端部をそれぞれ挟み込み固定するものである。固定支持金具１２ａ、１２ｂのピン１４ａ、１４ｂとは異なる端部にはそれぞれ固定部１５ａ、１５ｂが、可動支持金具１３ａ、１３ｂのピン１４ａ、１４ｂとは異なる端部にはそれぞれ固定部１６ａ、１６ｂが設けられ、これらにはボルト穴が設けられ、１５ａと１６ａ及び１５ｂと１６ｂを合せてボルト１７ａ、１７ｂを通し、ナット１８ａ、１８ｂで締め付けることによって、直線状部材を固定する。例えば、片方の空隙１９ａに直線状部材３ａを固定し、もう一方の空隙１９ｂに直線状部材３ｃを固定すれば、直線状部材３ａと３ｃが所定の間隔を置いて平行に固定されることになる。【００１８】  支持部材７に用いられる材質は、所定の剛性、強度を有しているものであれば、一般的に用いられているものでよいが、強度や加工性に優れた鉄やステンレス等が好ましい。保持金具１１と固定支持金具１２ａ若しくは１２ｂとの固定方法は、溶接、ボルト締め、接着剤等、金具の固定に一般的に用いられている方法でよい。【００１９】  仮設防護設備２は、そのままでも交通規制等に十分機能を果たす仮説防護設備とすることができる。また、直線状部材３ａと３ｃ、及び３ｂと３ｄで形成される隙間に、上方から遮蔽部材を差し込むことができ、これにより遮蔽機能も備えた仮設防護設備の、保持部材としての機能も果たすことができる。さらに、既存の単管バリケードに支持部材７を取付け、直線状部材を固定設置するという簡便な方法で形成することができる。【００２０】  図４は、本考案に係る移動可能とした形態の仮設防護設備２Ａである。前記仮設防護設備２の支脚４の左右の脚部の下端に水平部材２２を差し渡し、ボルト２３で固定し、水平部材２２に回転移動部材２１を２個、固定ピン２４によって取付けたものである。ここで、回転移動部材２１は、回転することにより移動できるものであれば一般的に用いられているものを用いることができるが、移動後の位置を固定できるようストッパー付きキャスターであることが好ましい。また、水平部材２２を用いず、支脚４の脚部下端に直接回転移動部材２１を取付けても良い。水平部材２２は所定の剛性、強度を有するものであれば用いることができるが、強度や加工性に優れた鉄製平棒が好ましい。これにより、作業箇所の移動に追従するように防護設備、即ち規制区域も移動していくことが簡便となり、常に最小限の規模での規制により建設作業の実施ができる。【００２１】  図５は、前記仮設防護設備２の、水平方向に並行な直線状部材３ａと３ｃ、同じく直線状部材３ｂと３ｄの隙間に遮蔽部材３０ａ、３０ｂ、３０ｃを差込み自立させたものである。遮蔽部材は四角形の板状のものが、地面や遮蔽部材どうしの隙間が少なく、遮蔽性、自立性に優れ好ましい。これにより、建設作業時における材料の外部への飛散等を防ぐことができる。遮蔽部材は、一般的に用いられているものを用いることができる。網状のものでも良い。【００２２】  また、遮蔽部材に防音部材を用いることにより、作業時の発生騒音が外部に漏れることを防ぐことができる。防音部材は、アルミニウム板等金属板やポリカーボネート等の樹脂板、密度の高い木製版等遮音性に優れた遮音板材、グラスウール、ウレタンフォーム、ポリエチレンフォーム、吸音ゴム等多孔質材など吸音性に優れた吸音板材、或いは遮音材と吸音材を組合わせた板、中空部を形成した板状のもの等、防音性能が優れた板状部材が用いられる。防音部材を用いた本考案仮設防護設備で作業箇所周囲を囲うことで防音性は著しく向上し、建設作業箇所周辺の環境を保全することができ、住宅密集箇所や夜間作業時に適用できるものとなる。【００２３】  また、移動可能とした形態の仮設防護設備２Ａに遮蔽部材を差込む場合、遮蔽部材を貫通して遮蔽部材の高さを調整できる留めピンを直線上部材等に設けておく等により、遮蔽部材を地面から僅かに浮かせた状態で固定できるようにすることで、遮蔽部材を差込んだ状態でも簡易に移動させることが可能となる。【００２４】  その他の形態として、前記仮設防護設備１と同２を混合した形態でもよい。例えば、支脚４上部上若しくは水平な補強部材５上の何れか一方には固定部材６を二つ付け、直線状部材を２本差し渡し、もう一方は固定部材６を一つ付け直線状部材を１本差し渡し、差し渡した直線状部材に支持部材７を取付け、これを介してもう１本の直線状部材を取付ける等としても良い。【００２５】  以上述べたような形態の仮設防護設備とすることで、道路工事や建設作業中の交通規制ができ、材料の外部への飛散を抑制し、作業騒音の低減も図れ、通行車両や歩行者や作業者の安全を確保し、周辺環境への悪影響も低減できる。また、作業の移動に対応して簡易に移動できることより、規制区域も低減することができる。
【図面の簡単な説明】
【００２６】
【図１】  本考案に係る仮設防護設備１の斜視図である。
【図２】  本考案の異なる形態の仮設防護設備２の斜視図である。
【図３】  支持部材７の正面図である。
【図４】  移動可能とした形態の仮設防護設備２Ａの正面図である。
【図５】  遮蔽部材を差込み自立させた状態の仮設防護設備２の斜視図である。
【図６】  既存の仮設防護設備（単管バリケード）の斜視図である。
【符号の説明】
【００２７】１        本考案請求項２に係る仮設防護設備
２        本考案請求項３に係る仮説防護設備
２Ａ      仮設防護設備２を移動可能とした形態の仮設防護設備
３        直線状部材（３ａ、３ｂ、３ｃ、３ｄ）
４        支脚
５        水平な補強部材
６        固定部材（６ａ、６ｂ、６ｃ、６ｄ）
７        支持部材（７ａ、７ｂ）
１１      保持金具
１２      固定支持金具（１２ａ、１２ｂ）
１３      可動支持金具（１３ａ、１３ｂ）
１４      ピン（１４ａ、１４ｂ）
１５      固定支持金具１２に設けられた固定部（１５ａ、１５ｂ）
１６      可動支持金具１３に設けられた固定部（１６ａ、１６ｂ）
１７      ボルト（１７ａ、１７ｂ）
１８      ナット（１８ａ、１８ｂ）
１９      円形の空隙（１９ａ、１９ｂ）
２１      回転移動部材
２２      水平部材
２３      水平部材２２を固定するボルト
２４      回転移動部材２１を固定するピン
３０      遮蔽部材（３０ａ、３０ｂ、３０ｃ）
４０      既存の仮設防護設備（単管バリケード）
【図１】
0003126743.tif 000003
【図２】
0003126743.tif 000004
【図３】
0003126743.tif 000005
【図４】
0003126743.tif 000006
【図５】
0003126743.tif 000007
【図６】
0003126743.tif 000008